(57)【要約】【課題】チャック１を前進させて芯１３を繰り出すシャープペンシルにおいて、軸筒の把持部を把持した時に、指のみならず、指間部によって、手が筆記先端部方向へ移動することを抑制する。更に、軸筒の先端部側及び軸筒の後端部側の外形が略同一となっているので、斬新な外観が可能となる。従って、把持し易く、かつ、斬新な外観となるシャープペンシルを提供する。【解決手段】胴７にグリップ１０を被せ、このグリップ１０の外形を、先端から徐々に縮径し、かつ、後端に向かって徐々に拡径する傾斜状又は円弧状に形成する。更に、胴７の後部に鞘１８を取り付け、この鞘１８に外鞘１７を被せる。この外鞘１７の外形を、先端から徐々に縮径し、かつ、後端に向かって徐々に拡径する傾斜状又は円弧状に形成する。これらの胴７、鞘１８、グリップ１０及び外鞘１７により軸筒を構成する。【選択図】        図１
2008296500.tif 000002
【特許請求の範囲】
【請求項１】
チャックを前進させることにより芯を繰り出すとともに、軸筒の前部に先部材を設け、かつ、軸筒の後端よりノブを突出させたシャープペンシルにおいて、前記軸筒の外形が、先端部から徐々に縮径し、前記軸筒の略中間部に向かって徐々に拡径する傾斜状又は円弧状に形成し、かつ、前記軸筒の略中間部から徐々に縮径し、前記軸筒の後端部に向かって徐々に拡径する傾斜状又は円弧状とし、前記軸筒の先端部、中間部、後端部に膨出部を形成したことを特徴とするシャープペンシル。
【請求項２】
前記軸筒が、略中間部を基準として、軸筒先端部側及び軸筒後端部側の外形が略同一であることを特徴とする請求項１記載のシャープペンシル。
【請求項３】
先部材に弾性体からなりかつ略円錐形の先カバーを被せるとともに、ノブに弾性体からなりかつ略円錐形のノブカバーを取り付け、このノブカバーの前端を軸筒の後端に密着させたことを特徴とする請求項１又は２記載のシャープペンシル。
【請求項４】
胴に弾性体からなるグリップを被せ、このグリップの外形を、先端部から徐々に縮径し、かつ、後端に向かって徐々に拡径する傾斜状又は円弧状に形成し、更に、胴の後部に鞘を取り付け、この鞘に外鞘を被せ、この外鞘の外形を、先端から徐々に縮径し、かつ、後端に向かって徐々に拡径する傾斜状又は円弧状に形成して、軸筒を構成したことを特徴とする請求項１乃至３のいずれか１項に記載のシャープペンシル。
【請求項５】
グリップと外鞘の間にグリップの後端及び外鞘の前端より太径の筒体を設けたことを特徴とする請求項４記載のシャープペンシル。
【発明の詳細な説明】
【技術分野】
【０００１】
本発明は、チャックを前進させることにより芯を繰り出すとともに、軸筒の前部に先部材を設け、かつ、軸筒の後端よりノブを突出させたシャープペンシルに関する。
【背景技術】
【０００２】
従来から、チャックを前進させることにより芯を繰り出すとともに、軸筒の前部に先部材を設け、かつ、軸筒の後端よりノブを突出させたシャープペンシルは知られている。
こうしたシャープペンシルにおいて、軸筒先端部又は軸筒先端部の把持部にグリップ部材を装着し、グリップ部材の先端部が先端に向かって徐々に拡径している筆記具は、特開平０６−２２７１９５号公報「筆記具」や特開平０８−３００８７８号公報「筆記具用把持具」に開示されている。（特許文献１及び２参照）
また、中間領域が前部領域より細径となるくびれ状とし、前部領域から後部領域に向かって徐々に拡径する筆記具は、特開２００１−２７０２８１号公報「筆記具」に開示されている。（特許文献３参照）
【特許文献１】特開平０６−２２７１９５号公報
【特許文献２】特開平０８−３００８７８号公報
【特許文献３】特開２００１−２７０２８１号公報
【発明の開示】
【発明が解決しようとする課題】
【０００３】
しかし、特許文献１、２のようにグリップ部材の先端部が先端に向かって徐々に拡径しているだけでは、把持部に装着したグリップ部材を指で把持した時に、筆記先端部方向への移動は、指によって抑制できるが、親指と人差し指の付け根（指間部）に軸筒後端部が当接し難く、指間部の後方への移動を抑制することができなかった。
【０００４】
また、特許文献３のように、中間領域が前部領域より細径となるくびれ状とし、前部領域から後部領域に向かって徐々に拡径する筆記具は、確かに把持部に装着したグリップ部材を指で把持した時に親指と人差し指の付け根（指間部）に軸筒後端部が当接し易く、指間部の後方への移動を抑制することはできるが、指間部と親指と人差し指との間に空間が形成され易く、筆記時等に指間部の筆記先端部方向への移動が防止できないため、大きな筆圧で筆記しなければならないシャープペンシルにおいては特に指への負担が大きくなるという問題があった。
【０００５】
本発明はこうした問題に鑑み、軸筒の把持部を把持した時に、指のみならず、指間部によって、手が筆記先端部方向へ移動することを抑制し、かつ、斬新な外観が得られるシャープペンシルを提供する。
【課題を解決するための手段】
【０００６】
本発明は、チャックを前進させることにより芯を繰り出すとともに、軸筒の前部に先部材を設け、かつ、軸筒の後端よりノブを突出させたシャープペンシルにおいて、前記軸筒の外形が、先部材から徐々に縮径し、前記軸筒の略中間部に向かって徐々に拡径する傾斜状又は円弧状に形成し、かつ、前記軸筒の略中間部から徐々に縮径し、前記軸筒の後端部に向かって徐々に拡径する傾斜状又は円弧状とし、前記軸筒の先端部、中間部、後端部に膨出部を形成したことを第１の要旨とする。
【０００７】
また、前記軸筒が、略中間部を基準として、軸筒先端部側及び軸筒後端部側が略同一であることを第２の要旨とする。
【０００８】
更に、先部材に弾性体からなりかつ略円錐形の先カバーを被せるとともに、ノブに弾性体からなりかつ略円錐形のノブカバーを取り付け、このノブカバーの前端を軸筒の後端に密着させたことを第３の要旨とする。
【０００９】
更にまた、胴に弾性体からなるグリップを被せ、このグリップの外形を、先部材から徐々に縮径し、かつ、後端に向かって徐々に拡径する傾斜状又は円弧状に形成し、更に、胴の後部に鞘を取り付け、この鞘に外鞘を被せ、この外鞘の外形を、先端から徐々に縮径し、かつ、後端に向かって徐々に拡径する傾斜状又は円弧状に形成して、軸筒を構成したことを第４の要旨とする。
【００１０】
更にまた、グリップと外鞘の間にグリップの後端及び外鞘の前端より太径の筒体を設けたことを第５の要旨とする。
【発明の効果】
【００１１】
請求項１記載の発明は、軸筒の把持部を把持した時に、指のみならず、指間部によって、手が筆記先端部方向へ移動することを抑制するので、大きな筆圧で筆記しなければならないシャープペンシルにおいて指への負担が軽減でき筆記操作性の向上を図ることが可能となる。
【００１２】
請求項２記載の発明は、軸筒先端部側及び軸筒後端部側の外形が略同一となっているので、斬新な外観が可能となる。
【００１３】
請求項３記載の発明は、先部材の後部に略円錐形の先カバーを被せるとともに、ノブに略円錐形のノブカバーを取り付けることにより、シャープペンシル全体の外観が前後略同一形状に構成できるので、いままでにない斬新な外観が可能となる。また、グリップの先に略円錐形の先カバーが設けられているので、先端部分を把持して筆記した場合でも滑り止め効果が可能となる。
【００１４】
請求項４記載の発明は、グリップ及び外鞘が別体で構成されているので、材質及び色彩が任意に設定できる。従って、斬新で高級なデザインが可能となるとともに、手に接触する時の感触も任意に設定でき、筆記操作性のさらなる向上が可能となる。
【００１５】
請求項５記載の発明は、筒体の材質及び色彩を、胴、グリップ、鞘及び外鞘と異なる設定が可能となり、更に斬新で高級なデザインが可能となる。
【発明を実施するための最良の形態】
【００１６】
筆記時における指への負担が軽減できるとともに、斬新で高級なデザインのシャープペンシルを実現した。
【実施例１】
【００１７】
図１、図２、図３及び図４により実施例１の振出式シャープペンシルを説明する。尚、図１の左側を前方とし右側を後方とする。先ず、黄銅等からなる金属製のチャック１の後部にポリアセタール製のコネクター２を圧入固着する。このコネクター２には、略中間部に鍔部２Ａを形成し、後部に前方面が垂直で後方面が傾斜した外鍔２Ｂを２個形成する。このコネクター２の後部をポリプロピレン製のパイプ材からなる芯タンク３の前部に圧入固着する。
【００１８】
更に、チャック１の頭部１Ａには締具４が外嵌され、締具４を受け止める連結具５とコネクター２の間にスプリング６が張架される。
【００１９】
着色された胴７の前部には細径孔７Ａが形成され、この細径孔７Ａ内を芯タンク３及びコネクター２が挿通可能に構成する。更に、胴７の後端部には、他の部位に比して外径と内径とが大きく設定された大径部７Ｂが形成されている。
【００２０】
この胴７の大径部７Ｂの外周面には筒体８が回動可能に装着されている。この筒体８の前端部に内鍔８Ａが形成され、この内鍔８Ａは胴７の後部外段７Ｃに係止されてそれ以上後方に移動しないように位置決めされる。
【００２１】
また、筒体８には、その円周の一部分が枠状に形成されるとともに内外に貫通した開口部８Ｂが形成されており、当該開口部８Ｂには拡大レンズ９が嵌合装備されている。拡大レンズ９は、円形の筒体の半径方向に光軸を向けた状態で筒体８に装備されており、開口部８Ｂから覗くことが可能な大径部７Ｂの外周面の一部の範囲を拡大して外部に示すことを可能としている。また、前述したように、筒体８は、大径部７Ｂに対して回動可能に装着されているので、大径部７Ｂの外周面上に複数の表示７Ｄ（文字、記号、数字、図柄、模様等）を周方向に沿って列記しておくことにより、筒体８の回転操作により各表示７Ｄを選択的に拡大して外部に表示することが可能となる。
【００２２】
この胴７の前部細径部７Ｅには滑り止め用のグリップ１０が被せられるが、筒体８とグリップ１０の間には滑りの良い素材からなるワッシャー１１が介挿され、筒体８がグリップ１０と摩擦接触することを回避している。従って、筒体８はスムーズに回動することができる。前記グリップ１０は、透明あるいは着色透明のシリコーンゴムにて成形される。また、グリップ１０の外形は、先端部から徐々に縮径し、かつ、後端に向かって徐々に拡径する傾斜状又は円弧状に形成される。
【００２３】
先部材１２には、芯１３を適度の力で保持するゴム等の弾性体で構成された芯ホルダー１４が内蔵されるとともに、外形が前方に向かうに従って縮径した略円錐状に形成されている。しかも、先部材１２の外周面には先カバー１５を装着するための前部係止溝１２Ａと後部係止溝１２Ｂが形成されている。更に、先部材１２の後端面には後方に向かって突出する外側突部１２Ｃと内側突部１２Ｄが形成され、グリップ１０との接触面積を小さくしている。
【００２４】
先カバー１５は、前述したグリップ１０と同じ弾性体で形成されており、先部材１２の先端部を除く外周面のほぼ全体を覆うように装着される。かかる先カバー１５は、前端部に前部内鍔１５Ａが形成されるとともに、後端部に後部内鍔１５Ｂが形成され、前部内鍔１５Ａが先部材１２の前部係止溝１２Ａに係合されるとともに後部内鍔１５Ｂが後部係止溝１２Ｂに係合されている。
【００２５】
前記胴７の前方より芯タンク３を挿入するとともに、胴７の前部に先部材１２を着脱可能に螺合する。この胴７の前端と先部材１２の内段１２Ｅにより前述した連結具５を挾持する。また、先部材１２の後端面には外側突部１２Ｃと内側突部１２Ｄが形成されているので、先部材１２を螺合する時に先部材１２の外側突部１２Ｃがグリップ１０の内段面１０Ａに接触するが、接触面積が少なくなりグリップ１０をねじってしまう恐れはない。更に、先部材１２に装着された先カバー１５の後端とグリップ１０の前端とは隙間なく密着される。従って、筆記する時に、グリップ１０部分のみではなく先カバー１５を把持して筆記した場合でも滑り止め効果が期待できる。
【００２６】
金属製の重量体１６は筒状に構成され、この重量体１６を前記胴７の後端より開口された内孔７Ｆに摺動可能に内蔵する。この重量体１６の貫通孔に前記芯タンク３が挿通される。
【００２７】
透明あるいは着色透明の合成樹脂にて成形された外鞘１７は、先端から徐々に縮径し、かつ、後端に向かって徐々に拡径する傾斜状又は円弧状に形成され、前記グリップ１０と略同形に形成される。
【００２８】
また、鞘１８の後部に外鍔１８Ａを形成するとともに外鞘１７より長手方向前方に係合突部１８Ｂを形成する。更に、鞘１８の内面には、中間部よりやや後方に内鍔１８Ｃを形成し、かつ、前端より長手方向後方に伸びた２つの前部キー１８Ｄが左右に相対して形成されるとともに、後端より長手方向前方に伸びた２つの後部キー溝１８Ｅが上下に相対して形成される。
【００２９】
中子１９は前部に内鍔１９Ａが形成され、中間部の相対する位置に開口窓１９Ｂを形成する。更に、中子１９の外面には２つのキー溝１９Ｃが左右に相対して形成される。
【００３０】
押部材２０の前部外面の上下には２つの係止突起２０Ａが相対位置に形成され、この係止突起２０Ａの前端は傾斜して形成される。また、押部材２０の両側には開口窓２０Ｂが形成され、押部材２０の前部が撓み可能に形成される。押部材２０の後部には外鍔部２０Ｃが形成され、この外鍔部２０Ｃには外方に突出した２つのキー２０Ｄが互いに相対して形成される。更に、押部材２０の後部内孔２０Ｅに消しゴム２１が嵌合されて取り付けられる。
【００３１】
前記中子１９は、中子１９のキー溝１９Ｃが鞘１８の前部キー１８Ｄに合わせて鞘１８の前方より挿入される。尚、前部キー１８Ｄの前部は前方に行くに従って細幅に形成され、キー溝１９Ｃに入り易い形状となっている。また、鞘１８の後方より押部材２０が鞘１８の後部キー溝１８Ｅに押部材２０のキー２０Ｄが合わされて挿入され、鞘１８の内鍔１８Ｃと押部材２０の外鍔部２０Ｃとの間にリターンスプリング２２が張架される。そして、押部材２０を適宜挿入すると、押部材２０の係止突起２０Ａが中子１９の開口窓１９Ｂに係合して取り付けられる。この時、鞘１８の前部キー１８Ｄに中子１９のキー溝１９Ｃが合わされるとともに鞘１８の後部キー溝１８Ｅに押部材２０のキー２０Ｄが合わされるので、押部材２０の係止突起２０Ａは中子１９の開口窓１９Ｂに確実に嵌め込まれる。従って、通常は押部材２０の係止突起２０Ａが中子１９の開口窓１９Ｂに係止されている。この状態では、鞘１８の後部キー溝１８Ｅの前縁から押部材２０のキー２０Ｄまでは適宜離間されている。この鞘１８を前記外鞘１７に後方より挿入し、外鞘１７の内鍔１７Ａに鞘１８の係合突部１８Ｂを係合させる。
【００３２】
前記胴７の後端から胴７内に重量体１６を摺動可能に内蔵し、この重量体１６の貫通孔内に芯タンク３が挿通される。
【００３３】
次に、胴７に前記鞘１８を着脱可能に螺合し、胴７の後端７Ｇと鞘１８の外鍔１８Ａにより外鞘１７を挾持する。また、胴７内に内蔵された重量体１６はコネクター２の鍔部２Ａと中子１９の内鍔１９Ａの間を長手方向に摺動可能に構成される。しかも、押部材２０の前部内孔２０Ｆには芯タンク３の後部が挿入され、芯タンク３の後端から押部材２０の押圧面２０Ｇまでが適宜離間して構成されている。
【００３４】
ノブカバー２３は、後方に向かうに従って縮径された略円錐形に形成され、その前端に最大径よりわずかに細径に形成された筒部２３Ａを形成するとともに、後端側に内鍔２３Ｂを形成する。この筒部２３Ａと内鍔２３Ｂとの間には、薄肉に形成された可撓部２３Ｃを形成する。しかも、このノブカバー２３はシリコンゴム等の弾性体で構成されている。
【００３５】
ノブ２４は黄銅等の金属で構成され、筒状部２４Ａとその後方に細径部２４Ｂが構成される。この細径部２４Ｂに前記ノブカバー２３を後方より被せ、細径部２４Ｂにノブカバー２３の内鍔２３Ｂを配置させる。更に、ノブ２４の細径部２４Ｂに尾栓２５を圧入固着し、ノブ２４の段部２４Ｃと尾栓２５の外鍔２５Ａによりノブカバー２３の内鍔２３Ｂを挾持する。
【００３６】
このノブ２４を前記押部材２０の後部外側２０Ｈに着脱可能に嵌合し、このノブ２４によって消しゴム２１を覆っている。また、ノブカバー２３の筒部２３Ａは鞘１８の後部細径部１８Ｆと外鞘１７の後部内面１７Ｂとの間に嵌合され、外鞘１７の後端とノブカバー２３の外段部２３Ｄは密着して構成される。
【００３７】
従って、上記振出式シャープペンシルは、胴７、グリップ１０、鞘１８、外鞘１７及び筒体８により軸筒を構成し、筒体８を中心として前後の外形が略同形に形成される。
【００３８】
以上説明した振出式シャープペンシルは、指でグリップ１０を把持するとともに、指間部が外鞘１７の縮径された部分に圧接されるので、指のみならず指間部によっても手が筆記先端部方向へ移動することを抑制する。従って、指への負担を大幅に軽減できる。また、芯１３を繰り出すために軸筒を振ると、重量体１６に慣性力が働き、重量体１６がコネクター２の鍔部２Ａに当接する。すると、コネクター２とともにチャック１及び芯タンク３も前進し一定量芯１３が繰り出される。
【００３９】
また、先部材１２内に折損芯が発生した場合には、先部材１２を外して折損芯を排除する。その後、先部材１２を胴７に螺合するが、後端面に外側突部１２Ｃと内側突部１２Ｄが形成されてグリップ１０との接触面積を小さくしているので、先部材１２とともにグリップ１０がねじれてしまう恐れはない。
【００４０】
また、１本の芯１３が消耗し次の芯１３を追従させるためにノブ２４をノックすると、図５に示したように、ノブカバー２３の可撓部２３Ｃが折り畳まれるように撓むので、ノブ２４のノック操作を軽い押圧力で行うことができる。しかも、ノブカバー２３が周囲に広がる方向には膨出しないので、ノック操作を妨げることもない。次に、ノブ２４のノック操作を終了すると、押部材２０はリターンスプリング２２により後方に移動される。ノブカバー２３もノブ２４とともに後退するが、ノブカバー２３の筒部２３Ａは鞘１８の後部細径部１８Ｆと外鞘１７の後部内面１７Ｂとの間に嵌合されているので、筒部２３Ａが外鞘１７と離間して後退してしまう恐れはない。従って、ノブカバー２３は可撓部２３Ｃの折り畳まれた状態から通常の状態に伸ばされ元の状態に復帰する。従って、外鞘１７の後端とノブカバー２３の外段部２３Ｄは密着した状態を維持している。
【００４１】
また、消しゴム２１を使用する場合には、押部材２０からノブ２４を外すことにより使用できる。更に、消しゴム２１を外せば芯タンク３内に芯１３を補充することができる。そして、再度ノブ２４を取り付ける場合には、ノブ２４を押部材２０の後部外側２０Ｈに嵌合するとともに、ノブカバー２３の筒部２３Ａを鞘１８の後部細径部１８Ｆと外鞘１７の後部内面１７Ｂとの間に差し込んで嵌合することにより取り付ける。
【実施例２】
【００４２】
以下、図６に基づいて本発明における実施例２のノック式シャープペンシルを説明する。尚、図１と同一の部材は同一の符号を付してその説明を省略する。先ず、黄銅等からなる金属製のチャック１０１の後部にポリプロピレン製のパイプ材からなる芯タンク１０３の前部を圧入固着する。
【００４３】
更に、チャック１０１の頭部１０１Ａには締具４が外嵌され、締具４を受け止める連結具５と芯タンク１０３の間にスプリング１０６が張架される。
【００４４】
鞘１１８の後部には外鍔１１８Ａを形成するとともに、外鍔１１８Ａより長手方向前方に係合突部１１８Ｂを形成する。この鞘１１８を外鞘１７に後方より挿入し、外鞘１７の内鍔１７Ａに鞘１１８の係合突部１１８Ｂを係合させる。この鞘１１８を前記胴７に着脱可能に螺合し、胴７の後端と鞘１１８の外鍔１１８Ａにより外鞘１７を挾持する。
【００４５】
前記胴７の前方より芯タンク１０３を挿入するとともに、胴７の前部に先部材１２を着脱可能に螺合する。この胴７の前端と先部材１２の内段１２Ｅにより前述した連結具５を挾持する。
【００４６】
また、芯タンク１０３の後部には押部材１２０の前部内孔１２０Ｆが圧入されて取り付けられ、この押部材１２０の後部内孔１２０Ｅに消しゴム２１が嵌合されて取り付けられる。
【００４７】
更に、押部材１２０の後部外側１２０Ｈにノブ２４が嵌合され、ノブカバー２３の外段部２３Ｄが外鞘１７の後端に密着して構成される。
【００４８】
従って、上記ノック式シャープペンシルは、胴７、グリップ１０、鞘１１８、外鞘１７及び筒体８により軸筒を構成し、筒体８を中心として前後の外形が略同形に形成される。
【００４９】
以上説明したノック式シャープペンシルは、ノブ２４をノックすることにより押部材１２０に押されてチャック１０１及び芯タンク１０３が前進し、一定量芯１３が繰り出される。しかも、ノブ２４が押された時にノブカバー２３の可撓部２３Ｃが折り畳まれるように撓むので、ノブ２４のノック操作を軽い押圧力で行うことができる。しかも、ノブカバー２３が周囲に広がる方向には膨出しないので、ノック操作を妨げることもない。
【００５０】
尚、本発明は上記実施例に限定されるものではなく、外鞘を弾性体で構成することも可能である。また、グリップ及び外鞘を異なる色の着色透明に構成するとともに、胴、筒体及び鞘を異なる材質や異なる色で着色し構成すれば、斬新で高級感のあるデザインが期待できる。
【００５１】
また、軸筒を構成する胴、グリップ、筒体、鞘及び外鞘は、例えば鞘と外鞘、あるいは胴、グリップ及び筒体といったそれぞれ２個以上の部品を一体に構成しても良い。
【産業上の利用可能性】
【００５２】
指への負担が軽減でき、筆記操作性の向上を図ることができるシャープペンシルに適用できる。
【図面の簡単な説明】
【００５３】
【図１】本発明の実施例１のシャープペンシルを示す断面図である。（実施例１）
【図２】図１のＡ−Ａ線を示す拡大断面図である。（実施例１）
【図３】本発明の実施例１のシャープペンシルにおける前部を示す主要部拡大部分断面図である。（実施例１）
【図４】本発明の実施例１のシャープペンシルにおける後部を示す主要部拡大断面図である。（実施例１）
【図５】本発明の実施例１のシャープペンシルにおいて、ノブをノックした状態を示す主要部拡大断面図である。（実施例１）
【図６】本発明の実施例２のシャープペンシルを示す断面図である。（実施例２）
【符号の説明】
【００５４】
１  チャック
７  胴
８  筒体
１０  グリップ
１２  先部材
１３  芯
１５  先カバー
１７  外鞘
１８  鞘
２３  ノブカバー
２４  ノブ
１０１  チャック
１１８  鞘
１２０  押部材
【図１】
2008296500.tif 000003
【図２】
2008296500.tif 000004
【図３】
2008296500.tif 000005
【図４】
2008296500.tif 000006
【図５】
2008296500.tif 000007
【図６】
2008296500.tif 000008